(57)【特許請求の範囲】
【請求項１】
球を受け入れない状態と球を受け入れ易い状態とに変換可能な開閉扉を有し、遊技盤の貫通穴に挿入配置された変動入賞装置と、該変動入賞装置に受け入れられた入賞球を検出する検出手段とを備えた遊技機であって、
前記開閉扉が球を受け入れ易い状態で前記変動入賞装置に入った球を受け入れる入賞室の底板における前記遊技盤内に位置する部分に、入賞球を通過させる球通過口を設け、
前記検出手段を前記球通過口の直下に配置し、
前記球通過口と、アウト口に入ったアウト球を排出するアウト球排出溝とを連通する入賞球排出溝を前記遊技盤内に形成し、
前記入賞球を前記球通過口及び前記検出手段を通過させて前記入賞球排出溝から前記アウト球排出溝に排出することを特徴とする遊技機。
【発明の詳細な説明】
【０００１】
【発明の属する技術分野】
本発明は、開閉扉を有する変動入賞装置と、この変動入賞装置に受け入れられた入賞球を検出する検出手段とを備えた遊技機に関するものである。
【０００２】
【従来の技術】
従来より、図柄表示装置に変動表示された図柄が特定の表示態様になると、遊技者に特典を付与する遊技機が広く知られている。特典として、例えば大入賞口を備える変動入賞装置、いわゆるアタッカー装置の大入賞口に設けられた開閉扉を繰り返して開放し、盤面の多くの球の入賞を可能とする構成がよく知られている。
【０００３】
このような変動入賞装置の代表的な動作は、次の通りである。変動入賞装置には、入賞球を通過させる継続入賞口とカウント入賞口（一般入賞口）との二種類の入賞口が設けられていて、それぞれに検出スイッチが配置されている。そして、開放された開閉扉から大入賞口に入った球（入賞球）は、いずれかの検出スイッチで検出され、両検出スイッチで検出された入賞球数が所定の個数（例えば、１０個）に至った場合、或いは開閉扉の開放後に所定時間（例えば、３０秒）経過した場合には、前記開閉扉が閉鎖する。そして、直前の開閉扉が開放されている状態において、入賞球が継続入賞口を通過した場合には、開閉扉は、閉鎖後に再度開放され、この開閉扉の開閉動作を所定回数（例えば、１６ラウンド）繰り返す。なお、検出スイッチを通過した入賞球は、遊技盤の裏側に配設された誘導樋に排出される。
【０００４】
そして、上記した変動入賞装置では、検出スイッチが所定個数の入賞球の通過を検出したら、即座に開閉扉を閉鎖しなければならない。また、直前の開閉扉が開放されている状態において、入賞球が継続入賞口を通過した場合には、開閉扉は、閉鎖後に即座に開放しなければならない。でないと、開閉扉の１開閉動作毎の入賞球数にばらつきが生じ、ひいては遊技毎の賞球数に無視できない変動（ばらつき）が生ずるからである。
【０００５】
しかし、従来の前記変動入賞装置では、入賞球を遊技盤の裏側に配設された誘導樋に排出する必要上、継続入賞口及びカウント入賞口は、いずれも入賞室の奥方に配置され、入賞球は入賞室内の底板上を奥方に向けて転動して、継続入賞口又はカウント入賞口から転落して検出スイッチで検出される構成であった。このため、球が入賞室を通過して検出するまでにタイムラグが生じ、これが開閉扉の開閉動作を緩慢にしてしまう問題があった。このような事情から変動入賞装置において、入賞球の迅速な検出と排出を可能にするものの現出が特に望まれていた。
【０００６】
【発明が解決しようとする課題】
本発明は、開閉扉を備えた変動入賞装置において、入賞球を素早く検出して変動入賞装置から排出することを課題としている。
【０００７】
【課題を解決するための手段】
上記の課題を解決するために請求項１に記載の発明は、球を受け入れない状態と球を受け入れ易い状態とに変換可能な開閉扉を有し、遊技盤の貫通穴に挿入配置された変動入賞装置と、該変動入賞装置に受け入れられた入賞球を検出する検出手段とを備えた遊技機であって、前記開閉扉が球を受け入れ易い状態で前記変動入賞装置に入った球を受け入れる入賞室の底板における前記遊技盤内に位置する部分に、入賞球を通過させる球通過口を設け、前記検出手段を前記球通過口の直下に配置し、前記球通過口と、アウト口に入ったアウト球を排出するアウト球排出溝とを連通する入賞球排出溝を前記遊技盤内に形成し、前記入賞球を前記球通過口及び前記検出手段を通過させて前記入賞球排出溝から前記アウト球排出溝に排出することを特徴としている。
【０００８】
請求項１の発明によれば、変動入賞装置の入賞室内に受け入れられた入賞球を通過させて検出する検出手段が、遊技盤内に配設される構成となるため、開放状態の開閉扉から入った入賞球は、短い転動経路を経て検出手段により短時間のうちに素早く検出して、排出できる。また、変動入賞装置への入賞球の検出部や入賞球を排出するための排出経路を遊技盤裏面に突出して設ける必要がなくなるので、変動入賞装置の遊技盤裏面の突出部を少なくして、種々の装置を配設する遊技盤裏面のスペースを有効に利用できる。
【０００９】
【００１０】
【００１１】
【００１２】
【００１３】
【００１４】
【発明の実施の形態】
以下、実施形態を挙げて、本発明を更に詳細に説明する。図１は、本発明に係るパチンコ機の正面図である。遊技盤１には、外側の第１球案内レール２と内側の第２球案内レール３とが取付けられて、第１及び第２の各球案内レール２，３で囲まれる部分が遊技領域４を形成していると共に、第１及び第２の各球案内レール２，３が内外で重なって球発射通路５を形成しており、球発射装置（図示せず）から発射された遊技球は、前記球発射通路５を通って、前記遊技領域４に放たれる。
【００１５】
また、遊技領域４の略中央部には、特別図柄表示装置６が配置され、その左側方には、ゲート７が配置されている。前記特別図柄表示装置６の直下には、該装置６を作動させる始動入賞口８が配置され、その直下には、アタッカー装置Ａが配置されている。前記アタッカー装置Ａの左右両側には、一対の第１サイド入賞口９と、同じく一対の第２サイド入賞口１１とが斜方向に沿って配置されている。また、特別図柄表示装置６の上方と両側方との計４箇所には、それぞれ風車１２が配置されている。また、遊技領域４の中央下端部には、いずれの入賞口にも入賞しなかった球を回収するアウト口１３が設けられている。なお、図１において、１４は、盤面上の球を特別図柄表示装置６の周囲に設けられたワープ通路（図示せず）に導くための導入板を示し、１５は、保留球数表示ランプを示す。
【００１６】
次に、前記アタッカー装置Ａの部分について、更に詳細に説明する。図２は、図１のアタッカー装置Ａとアウト口１３との部分の拡大図であり、図３は、図２のＸ−Ｘ線拡大断面図であり、図４は、底板２５の表示を省略したアタッカー装置Ａの斜視図であり、図５は、図２のＹ−Ｙ線拡大断面図であり、図６は、第１ソレノイドＮ1 によりアタッカー装置Ａの開閉扉２３が開閉される作用を示す側面断面図であり、図７は、第２ソレノイドＮ2 により通過阻止バー３７が円弧運動を行って、継続入賞口３３に対する入賞球の通過を可能にしたり、困難にしたりする作用を示す正面断面図であり、図８は、遊技盤１における入賞球排出溝５３及びアウト球排出溝５２の部分の斜視図である。
【００１７】
このアタッカー装置Ａは、図５、図６及び図８に示されるように、前記遊技盤１に設けられた横長の長方形状の貫通穴である挿入嵌合穴５１に挿入嵌合された状態で、前面の取付基板２１を介して遊技盤１の表面に取付けられる。また、前記取付基板２１の中央部には横長の長方形状をした大入賞口２２が設けられて、前記取付基板２１における大入賞口２２の部分には、該大入賞口２２を開閉可能に閉塞するように開閉扉２３が配置されていて、大入賞口２２の後方であって、左右及び後方を壁面で仕切られた空間が入賞室２４を構成している。この入賞室２４は、図４及び図５に示されるように、奥方に向けて徐々にその幅（水平方向の長さ）が狭くなっており、入賞室２４の底部には、底板２５（図３及び図５参照）が僅かに奥方が低くなるように傾斜して設けられている。
【００１８】
また、前記開閉扉２３は、大入賞口２２を形成する縦方向の対向内壁面の下端部に一対のヒンジピン２６を介して開閉可能にヒンジ連結されている。図４ないし図６に示されるように、アタッカー装置Ａの横方向（配置状態で水平方向）の一端部には、自身のロッド２７が前後方向に移動するように第１ソレノイドＮ1 が配置されて、前記ロッド２７の先端部には、連結体２８を介して上下方向の係合穴２９ａを有する係合体２９が連結されている。一方、取付基板２１に対して開閉扉２３をヒンジ連結している一対のヒンジピン２６の一方には、クランクレバー３１の一端部が一体に連結されて、該クランクレバー３１の他端に設けられた係合ピン３２が前記係合体２９の係合穴２９ａに係合している。これにより、第１ソレノイドＮ1 のロッド２７が前後方向に進退すると、前記係合体２９及びクランクレバー３１を介して一対のヒンジピン２６を支点として開閉扉２３が回動して、取付基板２１の中央部に形成された大入賞口２２が開放・閉鎖される。
【００１９】
また、図５に示されるように、前記入賞室２４の底部を形成する底板２５には、入賞室２４に受け入れられた入賞球Ｂを通過させるための継続入賞口３３と一般入賞口３４とが横方向に所定間隔をおいて設けられ、各入賞口３３，３４の直下には、球の通過を検出する継続入賞口検出スイッチＳ1 と一般入賞口検出スイッチＳ2 とがそれぞれ配置されている。
【００２０】
ここで、継続入賞口３３及び一般入賞口３４は、いずれも遊技盤１の内部に配置されており、これに対応させて、図３及び図８に示されるように、遊技盤１を構成する基板１ａに設けられた前記挿入嵌合穴５１と、アウト口１３を通過したアウト球を排出するアウト球排出溝５２とは、入賞球排出溝５３を介して連通している。即ち、遊技盤１は、その大部分の肉厚を占める木製の基板１ａと、その前面に貼られる薄肉の表板１ｂとで構成されて、従来構造においては、前記基板１ａに貫通穴として設けられるアタッカー装置Ａの挿入嵌合穴５１と前記アウト球排出溝５２とは、僅かに分離されていたが、本発明においては、この分離部分を切除して貫通穴を形成することにより、アタッカー装置Ａの挿入嵌合穴５１とアウト球排出溝５２とを連通させている。そして、上記連通を実現させるために、従来構造の遊技盤において前記分離部分を切除した空間部が入賞球排出溝５３を形成している。
【００２１】
このように、本実施形態では、アタッカー装置Ａは、アウト口１３と近接して配置されており、しかも継続入賞口３３及び一般入賞口３４に入賞された各入賞球Ｂは、共通の入賞球排出溝５３に排出される構造であるので、遊技盤１の一部を切除して前記入賞球排出溝５３を形成する場合において、その切除量が少なくなるので、遊技盤１の強度を損なうことがない。
【００２２】
この構造によって、継続入賞口３３及び一般入賞口３４を通過した入賞球Ｂは、前記入賞球排出溝５３を通ってアウト球排出溝５２の部分に達して、アウト口１３に入ったアウト球と合流されて、外部に排出される構造になっている。なお、図１ないし図３に示されるように、遊技盤１は、遊技盤装着枠７１に嵌め込まれ、該遊技盤１の下端のアウト球排出溝５２の部分においては、その背面側は、前記遊技盤装着枠７１の後板７１ａが当てがわれると共に、遊技盤装着枠７１には、遊技盤１のアウト球排出溝５２に接続してアウト球排出通路７２が形成されている。
【００２３】
また、図４、図５及び図７に示されるように、入賞室２４の底板２５の直下における継続入賞口検出スイッチＳ1 と一般入賞口検出スイッチＳ2 の間には、筒状をした回動ピン支持体３５が前後方向に配置され、該回動ピン支持体３５に回動ピン３６が挿通されて、その両端部が前記回動ピン支持体３５の両端から所定長だけ突出している。回動ピン３６の前端の突出部には、入賞室２４に受け入れられた入賞球Ｂが継続入賞口３３に入賞するのを阻止するための通過阻止バー３７の一端部が連結固定され、その他端部は、入賞室２４の側方の壁体３８に設けられた縦溝３９内に挿入されていると共に、通過阻止バー３７の他端部の背面側に設けられた係合ピン４１は、前記縦溝３９の内壁面に形成された円弧溝４２に挿入係合されている。一方、回動ピン３６の後端の突出部には、係止ピン取付板４３が一体に連結されて、その背面側には、後述の第２ソレノイドＮ2 のロッド４４の先端に取付けられた円形の被係合板４５に対して係合可能な一対の係合ピン４６が取付けられている。第２ソレノイドＮ2 は、そのロッド４４が横方向を向くように、継続入賞口検出スイッチＳ1 の斜後方に配置されている。
【００２４】
また、後述の遊技方法の説明の項目で詳細に説明するが、開閉扉２３が開いて大入賞口２２が開放された直後には、前記通過阻止バー３７は、図７で２点鎖線で示されるように、ほぼ水平姿勢となって、その上面は、入賞室２４の底部を形成する底板２５の上面とほぼ同一か、或いは僅かに低くなっていて、前記底板２５の上における入賞球Ｂの転動を阻害しないようになっている。よって、通過阻止バー３７は、ほぼ水平姿勢においては、底板２５に設けられた溝（図示せず）内に収容された形態となっている。そして、大入賞口２２に受け入れられた入賞球Ｂが底板２５上を転動して、継続入賞口３３に入賞すると、図７で実線で示されるように、第２ソレノイドＮ2 のロッド４４が突出して、ほぼ水平姿勢となっていた通過阻止バー３７は、回動ピン３６を支点として回動して、入賞室２４内に傾斜姿勢となって侵入して、大入賞口２２から入賞室２４に入る球Ｂが継続入賞口３３に入賞しにくくなる。
【００２５】
これにより、大入賞口２２を左右に二分した場合において、継続入賞口３３の側に位置する大入賞口２２の左半分は、傾斜姿勢の通過阻止バー３７により閉鎖状態となって、左半分の傾斜した開閉扉２３の上を転動して、その奥方の入賞室２４に入ろうとする入賞球Ｂは、傾斜姿勢の通過阻止バー３７の存在によって、その位置において入るのが阻止され、前記通過阻止バー３７に当たった状態で、そのまま右方に転動して、大入賞口２２の右半分の部分から、その奥方の入賞室２４に入るものが大部分である。よって、通過阻止バー３７が傾斜姿勢となっている状態では、入賞室２４に受け入れられた入賞球Ｂの全部、又は大部分は、底板２５の上を転動して、一般入賞口３４に入賞されることとなる。
【００２６】
この実施形態に係る遊技機としてのパチンコ機は、上記のように構成される。よって、パチンコ遊技の際に、球発射装置（図示せず）から球発射通路５に発射された球Ｂは、遊技領域４の上部に打ち出され、多数の釘等に当たって遊技領域４の下部に向けて流れる。そして、始動入賞口８、第１及び第２の各サイド入賞口９，１１、アタッカー装置Ａの大入賞口２２の各入賞口、及び導入板１４に導入されて流入するワープ通路（図示せず）のいずれにも入賞しなかった球Ｂは、遊技領域４の中央下端部のアウト口１３に入った後に、遊技盤１に形成されたアウト球排出溝５２を通って外部に排出される。
【００２７】
一方、盤面の球が始動入賞口８に入賞すると、特別図柄変動装置６が図柄変動を開始して、所定時間変動した後に停止する。そして、停止したときに複数の図柄が特定の表示態様を表示すると「大当り遊技」が開始される。「大当り遊技」になると、図示しない遊技制御部からの出力信号に基づきソレノイドＮ1 が励磁されて、そのロッド２７が突出する。そして、開閉扉２３が手前側に倒れて大入賞口２２が開かれる。開いた大入賞口２２は、所定時間（例えば、３０秒）、或いは所定個数（例えば、１０個）の入賞があるまで開放された状態を維持する。そして、前記開閉扉２３の起立により大入賞口２２が閉鎖された後においても、直前のラウンドにおいて、前記大入賞口２２を通って内部の入賞室２４に受け入れられた球（入賞球）が内部の継続入賞口３３を通過している場合は、再度、開閉扉２３が手前側に倒れることにより、前記大入賞口２２が開放されて、最高１６回（ラウンド）だけ前記「大当り遊技」が繰り返される。
【００２８】
ここで、アタッカー装置Ａの入賞室２４に受け入れられた入賞球Ｂは、継続入賞口３３及び一般入賞口３４の直下に設けられた各検出スイッチＳ1,Ｓ2 により検出される。
【００２９】
その検出信号は、図示しない遊技制御部に伝達されて入賞球数がカウントされる。そして、所定時間（例えば、３０秒）内にカウントした入賞球数が所定個数（例えば、１０個）になると、遊技制御部から第１ソレノイドＮ1 に信号が出力されて、該第１ソレノイドＮ1 が消磁される。これにより、そのロッド２７が後退して開閉扉２３が回動して起立し、開いていた大入賞口２２が閉鎖される。また、入賞球数が所定個数に達する前に所定時間が経過した場合も、遊技制御部からの出力信号によって同様に大入賞口２２が閉鎖される。本発明においては、前記継続入賞口３３及び一般入賞口３４は、いずれも遊技盤１の内部に設けられているため、開放状態の開閉扉２３の上を転動して入賞室２４に入った入賞球は、短い転動経路を経て前記各検出スイッチＳ1,Ｓ2 により短時間で検出される。このため、球入賞と、開閉扉２３の閉鎖のタイミングに長いライムラグがなくなって、開閉扉２３の閉鎖動作が迅速に行われる。よって、１ラウンド毎の入賞球数の変動がなくなって、遊技の興趣が高められる。
【００３０】
そして、図７に示されるように、入賞球排出溝５３の幅は、横方向に並べられた継続入賞口３３及び一般入賞口３４の幅に対応していて、いずれの入賞口３３，３４に入賞した球は、それらの直下の共通の入賞球排出溝５３に排出されて、アウト口１３に入ったアウト球と合流して、アウト球排出通路７２を経て遊技盤１の外部に排出される。
【００３１】
また、従来構造のようにアタッカー装置Ａへの入賞球の検出部や入賞球を排出するための排出経路を遊技盤裏面に突出して設ける必要がなくなるので、アタッカー装置の遊技盤裏面の突出部を少なくして、種々の装置を配設する遊技盤裏面のスペースを有効に利用できる。
【００３２】
また、アタッカー装置Ａの継続入賞口３３及び一般入賞口３４が、いずれも遊技盤１の内部に設けられていて、入賞室２４内における前記各入賞口３３，３４までの距離が短くなり、しかも、前記距離が短くなることにより、アタッカー装置Ａの底板２５に設ける奥方が僅かに低くなるような傾斜角度も小さくなる。この結果、アタッカー装置Ａは、奥行方向の長さが短くなるのに加えて、その全高も僅かに短くできるために、小型化される。
【００３３】
なお、上記実施形態は、内部に継続入賞口３３と一般入賞口３４との二種類の入賞口を備えた変動入賞装置であるアタッカー装置Ａに対して本発明を実施したものであるが、本発明は、このような二種類の入賞口を備えていない変動入賞装置に対しても実施可能である。
【００３４】
【発明の効果】
本発明に係る遊技機は、変動入賞装置の入賞室内に受け入れられた入賞球を通過させる球通過口及びその通過を検出する検出手段が、遊技盤内に配設されているので、開放状態の開閉扉から入った入賞球は、短い転動経路を経て検出手段により短時間のうちに素早く検出して、排出できる。
【００３５】
また、変動入賞装置への入賞球の検出部や入賞球を排出するための排出経路を遊技盤裏面に突出して設ける必要がなくなるので、変動入賞装置の遊技盤裏面の突出部を少なくして、種々の装置を配設する遊技盤裏面のスペースを有効に利用できる。
【図面の簡単な説明】
【図１】  本発明に係るパチンコ機の正面図である。
【図２】  図１のアタッカー装置Ａとアウト口１３との部分の拡大図である。
【図３】  図２のＸ−Ｘ線拡大断面図である。
【図４】  底板２５の表示を省略したアタッカー装置Ａの斜視図である。
【図５】  図２のＹ−Ｙ線拡大断面図である。
【図６】  第１ソレノイドＮ1 によりアタッカー装置Ａの開閉蓋２３が開閉される作用を示す側面断面図である。
【図７】  第２ソレノイドＮ2 により通過阻止バー３７が円弧運動を行って、継続入賞口３３に対する入賞球の通過を可能にしたり、困難にしたりする作用を示す正面断面図である。
【図８】  遊技盤１における入賞球排出溝５３及びアウト球排出溝５２の部分の斜視図である。
【符号の説明】
Ａ：アタッカー装置（変動入賞装置）
Ｓ1 ：継続入賞口検出スイッチ（検出手段）
Ｓ2 ：一般入賞口検出スイッチ（検出手段）
１：遊技盤
１３：アウト口
２３：開閉扉
２４：入賞室
２５：底板
３３：継続入賞口（球通過口）
３４：一般入賞口（球通過口）
５２：アウト球排出溝
５３：入賞球排出溝
【図１】
0004092423.tif 000002
【図２】
0004092423.tif 000003
【図３】
0004092423.tif 000004
【図４】
0004092423.tif 000005
【図５】
0004092423.tif 000006
【図６】
0004092423.tif 000007
【図７】
0004092423.tif 000008
【図８】
0004092423.tif 000009